(57)【要約】【課題】  陶芸者が、熟練を要することなく、カプセル化した釉薬を陶芸作品の好みの位置に貼り付けて焼きつけできる陶芸作品の画像形成方法を提供することを目的とする。【解決手段】  Ｓ１０１において素焼きした陶芸作品１の表面に粘着剤２を積層し、Ｓ１０２において粘着剤２の表面に離型層３を積層し、Ｓ１０３において離型層３の表面に画像の色毎に画成した下絵４を描き、Ｓ１０４におい下絵４の外形に沿って離型層３に切り込みを入れ、下絵４部を離型層３の表面から剥離させて画像の色毎に画成した粘着剤２の露出域を形成し、Ｓ１０５において粘着剤２の露出域の表面に、カプセル５を画像６の色毎に粘着させ、Ｓ１０６において陶芸作品１の表面に残留する離型層３を剥離し、Ｓ１０７において陶芸作品１をカプセル５と共に焼成する。【選択図】  図１
2007031218.tif 000002
【特許請求の範囲】
【請求項１】
素焼きした陶芸作品の表面に粘着剤を積層する第一工程と、
前記粘着剤の表面に離型層を積層する第二工程と、
前記離型層の表面に画像の色毎に画成した下絵を描く第三工程と、
下絵に沿って前記離型層に切り込みを入れ、前記下絵部を該離型層の表面から剥離させて、画像の色毎に画成した粘着剤の露出域を形成する第四工程と、
前記粘着剤の露出域の表面に、カプセル化した釉薬を画像の色毎に粘着させる第五工程と、
前記陶芸作品の表面に残留する前記離型層を剥離する第六工程と、
前記陶芸作品を前記カプセルと共に焼成する第七工程と、
を備えていることを特徴とする陶芸作品の画像形成方法。
【請求項２】
前記第六工程と前記第七工程との間に、前記粘着剤及び前記カプセルの表面に透明の釉薬を積層する釉薬積層工程を備えている、
ことを特徴とする請求項１に記載の陶芸作品の画像形成方法。
【請求項３】
前記第六工程の後に、前記カプセルの表面に第二の粘着剤を積層する粘着剤積層工程を備え、該粘着剤積層工程と前記第二工程〜前記第六工程とを繰り返し、その後、前記第七工程に移る、
ことを特徴とする請求項１に記載の陶芸作品の画像形成方法。
【請求項４】
前記釉薬積層工程の後に、前記透明の釉薬の表面に第二の粘着剤を積層する粘着剤積層工程を備え、該粘着剤積層工程前記第二工程〜前記第六工程とを繰り返し、その後、前記第七工程に移る、
ことを特徴とする請求項２に記載の陶芸作品の画像形成方法。
【請求項５】
前記第二工程から第六工程の繰り返しによって粘着されるカプセルは、下段のカプセルに対して上段のカプセルが重なるように配設され、且つ、前記上段のカプセルが前記下段のカプセルよりも外形が小さいものが用いられている、
ことを特徴とする請求項３又は請求項４に記載の陶芸作品の画像形成方法。
【請求項６】
前記上段と下段のカプセルは、収納する釉薬の種類又は色相が互いに異なるものが用いられている、
ことを特徴とする請求項５に記載の陶芸作品の画像形成方法。
【請求項７】
前記第一工程と前記第二工程との代わりに、予め、前記離型層の片面に前記粘着剤を積層し、次いで、該粘着剤を介して該離型層を該陶芸作品に粘着させる、
ことを特徴とする請求項１乃至請求項６の何れか記載の陶芸作品の画像形成方法。
【請求項８】
前記離型層として、前記粘着剤側に位置する表面の粗度よりも、前記下絵側に位置する表面の粗度が、粗く形成されているものを用いる、
ことを特徴とする請求項１乃至請求項７の何れか記載の陶芸作品の画像形成方法。
【発明の詳細な説明】
【技術分野】
【０００１】
本発明は、素焼きした陶芸作品の表面に釉薬を付着させて画像を形成する画像形成方法に関する。
【背景技術】
【０００２】
従来、陶芸作品の表面に絵付けをする際には、陶芸作品の表面に、液状の釉薬を筆塗りして焼き付ける方法（例えば、特許文献１参照）や、カプセル化した釉薬を複数貼り付けて加熱し、カプセルを溶融させてカプセル内の釉薬焼き付ける方法などが知られている。
【０００３】
そして、前述のカプセル化した釉薬を用いる方法によれば、液状の釉薬を筆塗りする方法と較べ、新鮮な趣を発現できるという特長を備えている。
【特許文献１】特開２００４−３４５８８２号公報
【発明の開示】
【発明が解決しようとする課題】
【０００４】
しかしながら、陶芸作品の表面に絵付けをする際に、カプセル化した釉薬を用いる方法によれば、液状の釉薬を筆塗りする方法と較べ、複数のカプセルを陶芸作品の表面に貼り付ける際の手間がかかり、作業性を損なう虞があった。
【０００５】
そこで、本発明は、陶芸者が、熟練を要することなく、カプセル化した釉薬を陶芸作品の好みの位置に貼り付けて焼きつけできる陶芸作品の画像形成方法を提供することを目的とする。
【課題を解決するための手段】
【０００６】
かかる目的を達成するためになされた請求項１に記載の発明は、陶芸作品の画像形成方法において、素焼きした陶芸作品の表面に粘着剤を積層する第一工程と、前記粘着剤の表面に離型層を積層する第二工程と、前記離型層の表面に画像の色毎に画成した下絵を描く第三工程と、下絵に沿って前記離型層に切り込みを入れ、前記下絵部を該離型層の表面から剥離させて、画像の色毎に画成した粘着剤の露出域を形成する第四工程と、前記粘着剤の露出域の表面に、カプセル化した釉薬を画像の色毎に粘着させる第五工程と、前記陶芸作品の表面に残留する前記離型層を剥離する第六工程と、前記陶芸作品を前記カプセルと共に焼成する第七工程と、を備えていることを特徴とする。
【０００７】
請求項１に記載の陶芸作品の画像形成方法によれば、陶芸作業者がカプセルを陶芸作品の表面に貼り付ける際に、陶芸作品の表面に画像色毎に画成された粘着剤の露出域が形成されているので、陶芸作業者が、熟練を要することなく、カプセル化した釉薬を陶芸作品の好みの位置に貼り付けて焼き付け、画像を形成することができる。また、この際、第七工程において、カプセルの外殻が溶融してカプセル内に収納した釉薬が陶芸作品の表面に焼付けされる。また、粘着剤は、焼成を介して、カプセル内の釉薬を陶芸作品に密着させるバイインダーとしての機能を有すると共に、その多くが揮発して陶芸作品表面における残留が少ないものを用いればよい。また、カプセルは、外形寸法が異なる種類を複数準備し、画素の密度に応じて使い分ければよい。
【０００８】
次に、請求項２に記載の発明は、請求項１に記載の陶芸作品の画像形成方法において、前記第六工程と前記第七工程との間に、前記粘着剤及び前記カプセルの表面に透明の釉薬を積層する釉薬積層工程を備えていることを特徴とする。
【０００９】
請求項２に記載の陶芸作品の画像形成方法によれば、陶芸作品の表面に残留する離型層を剥離した後に、粘着剤及びカプセルの表面に透明の釉薬を積層する釉薬積層工程を備えているので、複数のカプセルの表面が透明の釉薬に覆われ、カプセルを確実に陶芸作品に粘着させることができ、且つ、焼成後、カプセル内の釉薬が透明の釉薬に被覆されるので、陶芸作品及び画像の耐食性や耐磨耗性等を向上できる。
【００１０】
次に、請求項３に記載の発明は、請求項１に記載の陶芸作品の画像形成方法において、前記第六工程の後に、前記カプセルの表面に第二の粘着剤を積層する粘着剤積層工程を備え、該粘着剤積層工程と前記第二工程〜前記第六工程とを繰り返し、その後、前記第七工程に移ることを特徴とする。
【００１１】
請求項３に記載の陶芸作品の画像形成方法によれば、第六工程の後に、カプセルの表面に粘着剤を積層する粘着剤積層工程を備え、粘着剤積層工程と第二工程〜第六工程とを繰り返すことにより、陶芸作品の表面に、離型層の層数分だけ、カプセルの貼り付けを複数回実施することができ、種々の色合いの画像が形成できると共に、微細な画像を形成できる。
【００１２】
次に、請求項４に記載の発明は、請求項２に記載の陶芸作品の画像形成方法において、前記釉薬積層工程の後に、前記透明の表面に第二の粘着剤を積層する粘着剤積層工程と、前記第二工程〜前記第六工程とを繰り返し、その後、前記第七工程に移る、ことを特徴とする。
【００１３】
請求項４に記載の陶芸作品の画像形成方法によれば、陶芸作品の表面に、粘着剤及び離型層の層数分だけ、カプセルの貼り付け工程を実施することができ、種々の色合いの画像が形成できると共に、微細な画像を形成できる。
【００１４】
次に、請求項５に記載の発明は、請求項３又は請求項４に記載の陶芸作品の画像形成方法において、前記第二工程から第六工程の繰り返しによって粘着されるカプセルは、下段のカプセルに対して上段のカプセルが重なるように配設され、且つ、前記上段のカプセルが前記下段のカプセルよりも外形が小さいものが用いられている、ことを特徴とする。
【００１５】
請求項５に記載の陶芸作品の画像形成方法によれば、下段のカプセルに対して上段のカプセルが重なるように配設され、且つ、前記上段のカプセルが前記下段のカプセルよりも外形が小さいものが用いられているので、ドット状に浮き出した画像を形成でき、新鮮な趣を発現できる。
【００１６】
次に、請求項６に記載の発明は、請求項５に記載の陶芸作品の画像形成方法において、前記上段と下段のカプセルは、収納する釉薬の種類又は色相が互いに異なるものが用いられていることを特徴とする。
【００１７】
請求項６に記載の陶芸作品の画像形成方法によれば、前記上段と下段のカプセルは、収納する釉薬の種類又は色相が互いに異なるものが用いられているので、新たな色合いを生成できると共に立体的な画像を生成でき、一層、新鮮な趣を発現できる。
【００１８】
次に、請求項１乃至請求項６の何れか記載の陶芸作品の画像形成方法は、請求項７に記載の発明のように、前記第一工程と前記第二工程との代わりに、予め、前記離型層の片面に前記粘着剤を積層し、次いで、該粘着剤を介して該離型層を該陶芸作品に粘着させてもよい。
【００１９】
次に、請求項１乃至請求項７の何れか記載の陶芸作品の画像形成方法は、請求項８に記載の発明のように、前記離型層として、前記粘着剤側に位置する表面の粗度よりも、前記下絵側に位置する表面の粗度が、粗く形成されていることにより、第三工程において、離型層の表面に下絵を容易に描くことができると共に、第六工程において、離型層を容易に剥離できる。
【発明の効果】
【００２０】
本発明の陶芸作品の画像形成方法は、陶芸作業者がカプセルを陶芸作品の表面に貼り付ける際に、陶芸作品の表面に画像色毎に画成された粘着剤の露出域が形成されているので、陶芸作業者が、熟練を要することなく、カプセル化した釉薬を陶芸作品の好みの位置に貼り付けて焼き付け、画像を形成することができ、且つ、液状の釉薬を筆塗りする方法と較べ、新鮮な趣を発現できる。
【００２１】
また、本発明の陶芸作品の画像形成方法は、前記第六工程と前記第七工程との間に、前記粘着剤及び前記カプセルの表面に透明の釉薬を積層する釉薬積層工程を備えているので、複数のカプセルの表面が透明の釉薬に覆われ、カプセルを確実に陶芸作品に粘着させることができ、且つ、焼成後、カプセル内の釉薬が透明の釉薬に被覆されるので、焼成後に耐磨耗性の優れた画像が得られる。
【００２２】
また、本発明の陶芸作品の画像形成方法は、第六工程の後に、カプセルの表面に粘着剤を積層する粘着剤積層工程と、第二工程〜第六工程とを繰り返すことにより、陶芸作品の表面に、離型層の層数分だけ、カプセルの貼り付け工程を複数実施でき、種々の色合いの画像が形成できると共に、微細な画像を形成できる。
【００２３】
また、本発明の陶芸作品の画像形成方法は、カプセルの表面に透明の釉薬を積層した後に、この表面に第二の粘着剤を積層する粘着剤積層工程と、前記第二工程〜前記第六工程とを繰り返すことにより、陶芸作品の表面に、粘着剤及び離型層の層数分だけ、カプセルの貼り付け工程を実施でき、種々の色合いの画像が形成できると共に、微細な画像を形成できる。また、本発明の陶芸作品の画像形成方法は、カプセルの表面に透明の釉薬を積層した後に第二の粘着剤を積層しているので、透明の釉薬を介してカプセルの表面が平滑化し、焼成工程の後に表面が緻密であって磨耗性の優れた画像が得られる。
【００２４】
また、本発明の陶芸作品の画像形成方法は、カプセルを複数段積層することにより、立体感をもたせたり、新たな色合いを生成したりできる。
【００２５】
また、本発明の陶芸作品の画像形成方法は、離型層として、粘着剤側に位置する表面の粗度よりも、下絵を描く側に位置する表面が粗度が粗く形成されていることにより、離型層の表面に下絵を容易に描くことができると共に、第六工程において、離型層を容易に剥離できる。
【発明を実施するための最良の形態】
【００２６】
次に、本発明の陶芸作品の画像形成方法の一実施例を図面にもとづいて説明する。図１は、本発明の実施例１における、陶芸作品の画像形成方法を表すフローチャート、図２は、本発明の実施例２における、陶芸作品の画像形成方法を表すフローチャート、図３は、本発明の変形例における、陶芸作品の画像形成方法を用いて形成した画像形成部の構成図である。本実施例における陶芸作品は、粘土を素材として、例えばろくろを用いて成形され、乾燥、素焼き、絵付け（施釉）、本焼き等を介して完成する。
【実施例１】
【００２７】
図１に基づいて、本発明が適用された陶芸作品の画像形成方法の実施例１を説明する。Ｓ１０１（Ｓは、ステップを表す。）において、図１（ａ）に表したように、素焼きした陶芸作品１の表面に粘着剤２を積層する。粘着剤２の積層方法として、液状の粘着剤２を陶芸作品１の表面に塗布したり、シート状の粘着剤２を陶芸作品１の表面に転写させたりする方法を用いればよい。また、粘着剤２の材質は、温度変化に対する粘着性が安定し、離型層３の粘着及び剥離、カプセル５の粘着等が容易にできるように、アクリル系ゴムを主成分とするものを用いればよい。尚、本発明における第一工程は、Ｓ１０１によってその機能が発現される。
【００２８】
次いで、図Ｓ１０２において、図１（ｂ）に表したように、粘着剤２の表面に離型層３を積層する。この際、離型層３の積層方法として、例えばフィルムやシリコーン離型紙といったシート材を用い、陶芸作品１の表面に粘着剤２を介して粘着させればよい。また、離型層３は、後述のＳ１０４及びＳ１０６において陶芸作品１に対する剥離が容易にでき、且つ、Ｓ１０３において下絵を描き易いように、下絵４側に配設される面の粗度が粘着剤２側に配設される面の粗度よりも粗いものを用いればよい。尚、本発明における第二工程は、Ｓ１０２によってその機能が発現される。
【００２９】
次いで、Ｓ１０３において、図１（ｃ）に表したように、離型層３の表面に、画像色毎に画成するように、各画像色毎の下絵４を描く。下絵４を描く際の絵具は、色鉛筆や絵の具など、離型層３の材質に合わせ離型層の表面に描き易いものを選択すればよい。尚、本発明の第三工程は、Ｓ１０３によってその機能が発現される。
【００３０】
次いで、Ｓ１０４において、図１（ｄ）に表したように、下絵４部の外形に沿って離型層３に切り込みを入れ、離型層３の下絵４部を粘着剤２及び陶芸作品１から剥離させ、陶芸作品１の表面に、画像色毎に画成された粘着剤２の露出域を形成する。尚、本発明における第四工程は、Ｓ１０４によってその機能が発現される。
【００３１】
次いで、Ｓ１０５において、図１（ｅ）に表したように、粘着剤２の露出域に画像色に対応したカプセル４を粘着させる。カプセル４は、透明の外殻内に釉薬が収納されており、後述のＳ１０７の焼成を介して、外殻が溶融して陶芸作品１の表面に釉薬が所定の色を発現して焼き付けられる。また、釉薬は、各色毎の鉱物や金属粉を主成分とし、これに所定量水が加えられて調合されている。また、カプセル５は、略球形に形成され、その外形寸法が１ｍｍ〜２ｍｍの範囲で複数準備され、画像の画素の密度に応じて外形寸法が選択される。尚、本発明における第五工程は、Ｓ１０５によってその機能が発現される。
【００３２】
次いで、Ｓ１０６において、図１（ｆ）に表したように、陶芸作品１の表面に残留している離型層３を陶芸作品１から剥離して除去する。尚、本発明における第六工程は、Ｓ１０６によってその機能が発現される。
【００３３】
次いで、Ｓ１０７において、カプセル４及び粘着剤２が付着した陶芸作品１を陶芸窯に入れ、陶芸窯内の温度を略１２００℃に昇温して陶芸作品１を焼成し、カプセル５内の釉薬を陶芸作品１の表面に焼き付ける。この際、カプセル５の外殻は、陶芸窯の昇温に伴って溶融し、カプセル５内の釉薬を陶芸作品１に密着させるバインダーとして作用し、粘着剤２及びカプセル５内の水分等と共に揮発する。尚、本発明における第七工程は、Ｓ１０７によってその機能が発現される。
【００３４】
以下に、前記の工程を有する実施例１の、陶芸作品の画像形成方法の作用効果を記載する。
【００３５】
本実施例１の陶芸作品の画像形成方法は、図１（ｄ）（ｅ）に表したように、陶芸作業者がカプセル５を陶芸作品１の表面に貼り付ける際に、陶芸作品１の表面に画像色毎に画成された粘着剤２の露出域が形成されているので、陶芸作業者が、熟練を要することなく、カプセル化した釉薬を陶芸作品１の好みの位置に貼り付けて画像を形成することができ、液状の釉薬を筆塗りする方法と較べ、新鮮な趣を発現できる。
【００３６】
また、本実施例１の陶芸作品の画像形成方法は、離型層３として、粘着剤２側に位置する表面の粗度よりも、下絵４を描く側に位置する表面の粗度が、粗く形成されていることにより、Ｓ１０３において、離型層３の表面に下絵４を容易に描くことができると共に、Ｓ１０４及びＳ１０６において、離型層３を陶芸作品１及び粘着剤２から容易に剥離できる。
【実施例２】
【００３７】
次に、図２に基づいて、本発明における陶芸作品の画像形成方法の実施例２を説明する。尚、実施例１と共通する部分については詳細な説明を省き、特徴となる部分について詳細に説明する。
【００３８】
図２において、実施例１のＳ１０１〜Ｓ１０６と同じように、Ｓ２０１（Ｓは、ステップを表す。）において、図２（ａ）に表したように素焼きした陶芸作品１の表面に粘着剤２を積層し、Ｓ２０２において、図２（ｂ）に表したように粘着剤２の上面に離型層３を積層し、Ｓ２０３において、図２（ｃ）に表したように、離型層３の表面に、画像色毎に画成するように各画像色毎の下絵４を描き、Ｓ２０４において、図２（ｄ）に表したように、下絵４部の外形に沿って離型層３に切り込みを入れ、離型層３の下絵４部を粘着剤２及び陶芸作品１から剥離させ、Ｓ２０５において、図２（ｅ）に表したように、粘着剤２の露出域に画像色に対応したカプセル４を粘着させ、Ｓ２０６において、図２（ｆ）に表したように、陶芸作品の表面に残留している離型層を陶芸作品から剥離して除去する。
【００３９】
次いで、Ｓ２０７において、図２（ｇ）に表したように、カプセル５の表面に、石灰系の液状の釉薬を塗布して乾燥させ、透明の釉薬層７を形成する。尚、本発明における釉薬積層工程は、Ｓ２０７によってその機能が発現される。
【００４０】
次いで、Ｓ２０８において、図２（ｈ）に表したように、釉薬層７の表面に粘着剤２を積層する。粘着剤２の積層方法として、液状の粘着剤２を陶芸作品１の表面に塗布したり、シート状の粘着剤２を陶芸作品１の表面に転写させたりする方法を用いればよい。また、粘着剤２の材質は、温度変化に対する粘着性が安定し、陶芸作品１に対する離型層１０の粘着及び剥離が容易にできるように、アクリル系ゴムを主成分とするものを用いればよい。尚、本発明における粘着剤積層工程は、Ｓ２０８によってその機能が発現される。
【００４１】
次いで、Ｓ２０２に戻り、Ｓ２０２〜Ｓ２０８を繰り返し、図２（ｉ）に表したように、粘着剤２、８を介してカプセル５、９を積層する。この際、Ｓ２０２〜Ｓ２０８に至る繰り返しは、画像１１の色毎に設定したり、画像１１の輪郭毎に設定したり、カプセル５をその大きさが異なるものを複数準備し、カプセル５の大きさ毎に繰り返したりすればよい。
【００４２】
次いで、Ｓ２０９において、プセル４、９及び粘着剤２、８が付着した陶芸作品１を陶芸窯に入れ、陶芸窯内の温度を略１２００℃に昇温して陶芸作品１を焼成し、カプセル５、９内の釉薬を陶芸作品の表面に焼き付ける。この際、昇温に伴って、カプセル５、９の外殻が溶融してカプセル４、９内の釉薬を陶芸作品本体に密着させるバインダーとして作用し、カプセル５、９の外殻が、粘着剤２、８及びカプセル４、９内の水分等と共に揮発する。
【００４３】
以下に、前記の工程を有する実施例２の、陶芸作品の画像形成方法の作用効果を記載する。
【００４４】
本実施例２の陶芸作品の画像形成方法は、Ｓ２０６において陶芸作品１の表面に残留する離型層３を剥離した後に、Ｓ２０７において粘着剤２及びカプセル５の表面に透明の釉薬７を積層する釉薬積層工程を備えているので、複数のカプセル５の表面が透明の釉薬層７に覆われ、カプセル５を確実に陶芸作品に粘着させることができ、且つ、本陶芸作品の画像形成方法は、焼成後、カプセル５内の釉薬が透明の釉薬層７に被覆されるので、画像１１表面及び陶芸作品１の耐摩耗性を向上できる。
【００４５】
また、本実施例２の陶芸作品の画像形成方法は、Ｓ２０７の後に、Ｓ２０８でカプセル５の表面に粘着剤８を積層し、その後Ｓ２０２〜Ｓ２０８を繰り返すことにより、陶芸作品１の表面に、離型層３、１０の層数分だけ、カプセル５の貼り付け工程を複数回行うことができ、種々の色合いの画１１像が形成できると共に、微細な画像を形成でき、新鮮な趣を発現できる。
【００４６】
以上、本発明の一実施例について説明したが、本発明は、前記実施例に限定されるものでなく、種各の態様を取ることができる。
【００４７】
例えば、本実施例１、２において、Ｓ１０１、Ｓ２０１において陶芸作品の表面に粘着剤２を積層しＳ１０２、Ｓ２０２において粘着剤２の表面に離型層３を形成したが、Ｓ１０１、２０１、Ｓ１０２、Ｓ２０２の代わりに、予め、離型層３の片面に粘着剤２を積層し、次いで、粘着剤２を介して離型層３を陶芸作品１に粘着させてもよい。
【００４８】
また、本実施例２のＳ２０８において、透明の釉薬層７を形成したが、透明の代わりに、半透明を用いてもよい。さらに、Ｓ２０８において、陶芸作品１の表面に同一の釉薬層７を形成したが、画像毎に、その表面に形成する釉薬層７を画成し、釉薬層７を半透明にしてその色相を変えてもよい。
【００４９】
本実施例１、２において、カプセル５は、外殻が透明であるものを用いたが、透明の代わりにカプセル５内の釉薬の色や種類毎に対応付けて識別できれば、透明に限定されるものではない。
【００５０】
（変形例）
また、本実施例２において、図２（ｉ）に表したように、一層目のカプセル５と二層目のカプセル９とは量ならないように配置したが、図３に表したように、一層目のカプセル５画像１６と二層目のカプセルの画像１６を重ねたり、その際に、二層目のカプセルを一層目のカプセルよりも小さくしたりすることによって、ドット状に浮き出した画像を形成し立体感を生成できると共に新たな色合いを生成できる。
【図面の簡単な説明】
【００５１】
【図１】本発明の実施例１における、陶芸作品の画像形成方法を表すフローチャートである。
【図２】本発明の実施例２における、陶芸作品の画像形成方法を表すフローチャートである。
【図３】本発明の変形例における、陶芸作品の画像形成方法を用いて形成した画像形成部の構成図である。
【符号の説明】
【００５２】
１…陶芸作品、２…粘着剤、３…離型層、４…下絵、５…カプセル、６…画像、７…透明釉薬層、８…粘着剤、９…カプセル、１０…離型層、１１…画像。
【図１】
2007031218.tif 000003
【図２】
2007031218.tif 000004
【図３】
2007031218.tif 000005